(57)【要約】【課題】  搬送性と画質に優れ且つ用紙裏面汚れの発生しにくい画像形成装置を提供する。【解決手段】  用紙Ｐの裏側（非画像形成面）に接触し、用紙Ｐの過剰な帯電を除去するための除電手段１０が設けられている。除電手段１０が裏側から接触することによって用紙Ｐは過剰な帯電を取り除かれ、用紙ＪＡＭなどの搬送故障の発生を防いでいる。除電手段１０は導電性繊維１２，スペーサ１１，保持部材１３からなり、導電性繊維１２が用紙Ｐの搬送路面に対して一定の圧力を持って押圧されるように付勢されている。導電性繊維１２の、用紙Ｐと接触する側には導電性繊維１２が用紙Ｐに直接接触しないようにスペーサ１１が設けられ、静電気による導電性繊維１２の毛羽立ちを防いでいる。スペーサ１１は鋸歯状の凹凸形状をしており、凸部１１ｂは導電性繊維１２の先端まで延び、用紙Ｐと導電性繊維１２の接触を防ぐ一方で、凹部１１ａの存在により導電性繊維１２と用紙Ｐの間隔を狭めることができ、結果として除電効果を高めることができる。【選択図】        図３
2005250033.tif 000002
【特許請求の範囲】
【請求項１】
表面にトナー像が形成される少なくとも一つの潜像担持体と、
前記潜像担持体の表面に形成されたトナー像を、少なくとも一つの中間転写体を介して又は直接転写材上に転写する転写手段と、
前記転写手段よりも転写材搬送方向下流側に設けられ、前記転写材に蓄積された電荷を除去する除電手段とを備えた画像形成装置であって、
前記除電手段は、搬送方向下流側に前記転写材の非画像形成面に対向しこれと接触する方向に付勢された導電性繊維部材と、
前記導電性繊維部材の前記転写材に対向する面に設けられ転写材に接触するスペーサ部材とで構成されたことを特徴とする画像形成装置。
【請求項２】
表面にトナー像が形成される少なくとも一つの潜像担持体と、
前記潜像担持体の表面に形成されたトナー像を、少なくとも一つの中間転写体を介して又は直接転写材上に転写する転写手段と、
前記転写手段よりも転写材搬送方向下流側に設けられ、前記転写材に蓄積された電荷を除去する除電手段とを備えた画像形成装置であって、
前記除電手段は、搬送方向下流側で前記転写材の非トナー像転写面に接触するスペーサ部材と、
前記スペーサ部材を介して前記転写材の非トナー像転写面に対向して設けられた導電性繊維部材とで構成されたことを特徴とする画像形成装置。
【請求項３】
前記スペーサ部材は前記転写材の搬送方向と直交する方向に凹凸の連続する鋸歯状の形状であることを特徴とする請求項１乃至請求項２に記載の画像形成装置。
【請求項４】
前記スペーサ部材の厚さは０．０５ｍｍ〜０．２ｍｍであることを特徴とする請求項１乃至請求項３に記載の画像形成装置。
【請求項５】
前記スペーサ部材の体積抵抗値は１０＾６Ω・ｃｍ以下であることを特徴とする請求項１乃至請求項４に記載の画像形成装置。
【請求項６】
前記スペーサ部材は、前記導電性繊維部材を支持する支持部から離れた自由端部分に設けられたことを特徴とする請求項１乃至請求項５に記載の画像形成装置。
【請求項７】
前記スペーサ部材は前記導電性繊維部材の幅方向全体に渡って設けられたことを特徴とする請求項１乃至請求項６に記載の画像形成装置。
【請求項８】
各々異なった複数色のトナー像を表面に形成する複数の潜像担持体と、
転写材を搬送する無端ベルト形状の搬送部材と、
前記複数の潜像担持体の表面に形成されたトナー像を前記転写材上に多重に転写する複数の転写手段と、
前記転写手段よりも転写材搬送方向下流側に設けられ、前記転写材に蓄積された電荷を除去する除電手段とを備えた画像形成装置であって、
前記除電手段は、前記転写手段の搬送方向下流側に前記搬送部材の内側に対向しこれと接触する方向に付勢された導電性繊維部材と、
前記導電性繊維部材の前記搬送部材に対向する面に設けられ前記搬送部材に接触するスペーサ部材と、からなることを特徴とする画像形成装置。
【請求項９】
前記スペーサ部材は前記転写材の搬送方向と直交する方向に凹凸の連続する鋸歯状の形状であることを特徴とする請求項８に記載の画像形成装置。
【請求項１０】
前記スペーサ部材の厚さは０．０５ｍｍ〜０．２ｍｍであることを特徴とする請求項８乃至請求項９に記載の画像形成装置。
【請求項１１】
前記スペーサ部材の体積抵抗値は１０＾６Ω・ｃｍ以下であることを特徴とする請求項８乃至請求項１０に記載の画像形成装置。
【請求項１２】
前記スペーサ部材の凹凸が搬送方向において一致していないことを特徴とする請求項９に記載の画像形成装置。
【発明の詳細な説明】
【技術分野】
【０００１】
本発明は、画像形成装置に関する。
【背景技術】
【０００２】
従来から、電子写真方式（静電転写方式）を利用した複写機、プリンタ等の画像形成装置が広く知られている。このような画像形成装置では、感光体ドラム上のトナー可視像を用紙側へ転写する際に用紙の裏側から所定の電荷を供給し、電荷の吸引力を利用することによりトナー可視像を用紙に転写する構成となっている。
【０００３】
この電荷は、用紙にトナー可視像を転写した後は用紙ＪＡＭの発生など、用紙の円滑な搬送の妨げとなる事態を防ぐため、用紙の裏側から除電手段を用いて適度に除電される。
【０００４】
除電手段は通常、電荷を逃がす為に接地（グラウンド）させる必要があるが、設計及び製造工程が複雑になるため、接地させる必要のない導電性繊維部材を除電手段として用いることもある。
【０００５】
導電性繊維部材は複雑に絡み合った導電性繊維同士の端面から微妙に放電が繰り返されることにより電荷を良好に除去できる、いわゆる自己放電効果を持つため除電手段として用いるのには非常に好適である。
【０００６】
しかし、上述のように除電手段に導電性繊維部材を用いた場合、図８に示すように導電性繊維部材１００の表面から静電気による繊維の毛羽立ちが発生し、その毛羽立ちが用紙Ｐの非画像形成面に触れた際に、電荷が過剰に除去されてしまうことがある。用紙Ｐに蓄積された電荷が過剰に除去されてしまうと用紙Ｐ上に形成されていたトナー画像の吸着力も弱まって像に乱れが発生し、画像品質が劣化する問題がある。
【０００７】
また、導電性繊維の毛羽立ちと用紙とが接することの無いように用紙と間隔を保って除電手段を設けた場合は、用紙に蓄積された電荷を十分に除去することができず、そのため前述のような用紙ＪＡＭなどで用紙の円滑な搬送を妨げてしまうといった問題が生じてしまう。
【０００８】
また、導電性部材を用紙と接触するように配置した場合、導電性部材に装置内の浮遊トナーが付着し用紙先端汚れが発生する問題もある。
【０００９】
そのため、導電性繊維部材の上に、さらに導電性部材を重ねる方法も提案されている（例えば、特許文献１参照）。
【００１０】
しかし、カラー画像形成装置のように転写を数回繰り返す場合、用紙に印加される電圧もモノクロ画像形成装置よりも高電圧となり、導電性繊維部材が非接触では充分な除電効果が得られない場合がある。
【特許文献１】特開２００１−２７８４８６号公報      （図３、第３〜４頁）
【発明の開示】
【発明が解決しようとする課題】
【００１１】
本発明は上記事実を考慮し、搬送性と画質に優れ且つ用紙裏面汚れの発生しにくい画像形成装置を提供することを目的とする。
【課題を解決するための手段】
【００１２】
請求項１に記載の画像形成装置は、表面にトナー像が形成される少なくとも一つの潜像担持体と、前記潜像担持体の表面に形成されたトナー像を、少なくとも一つの中間転写体を介して又は直接転写材上に転写する転写手段と、前記転写手段よりも転写材搬送方向下流側に設けられ、前記転写材に蓄積された電荷を除去する除電手段とを備えた画像形成装置であって、前記除電手段は、搬送方向下流側に前記転写材の非画像形成面に対向しこれと接触する方向に付勢された導電性繊維部材と、前記導電性繊維部材の前記転写材に対向する面に設けられ転写材に接触するスペーサ部材とで構成されたことを特徴とする。
【００１３】
上記構成の発明では、除電手段によって転写材の裏側から過剰な電荷を除去し、かつ除電手段がスペーサ部材により転写材と直接接触しないので除電手段の劣化による除電過剰や用紙裏面汚れを防ぐことができる。
【００１４】
請求項２に記載の画像形成装置は、表面にトナー像が形成される少なくとも一つの潜像担持体と、前記潜像担持体の表面に形成されたトナー像を、少なくとも一つの中間転写体を介して又は直接転写材上に転写する転写手段と、前記転写手段よりも転写材搬送方向下流側に設けられ、前記転写材に蓄積された電荷を除去する除電手段とを備えた画像形成装置であって、前記除電手段は、搬送方向下流側で前記転写材の非トナー像転写面に接触するスペーサ部材と、前記スペーサ部材を介して前記転写材の非トナー像転写面に対向して設けられた導電性繊維部材とで構成されたことを特徴とする。
【００１５】
上記構成の発明では、除電手段によって転写材の裏側から過剰な電荷を除去し、かつ除電手段がスペーサ部材により転写材と直接接触しないので除電手段の劣化による除電過剰や用紙裏面汚れを防ぐことができる。
【００１６】
請求項３に記載の画像形成装置は、前記スペーサ部材は前記転写材の搬送方向と直交する方向に凹凸の連続する鋸歯状の形状であることを特徴とする。
【００１７】
上記構成の発明では、スペーサ部材に鋸歯状の凹凸を設けたことで、転写材と導電性繊維部材の間に適度な間隔を保ちつつ、鋸歯状の凹部分において転写材と導電性繊維部材を接近させることができ、非接触でありながら除電効果を保つことができる。
【００１８】
請求項４に記載の画像形成装置は、前記スペーサ部材の厚さは０．０５ｍｍ〜０．２ｍｍであることを特徴とする。
【００１９】
上記構成の発明では、スペーサ部材の厚みすなわち転写材と導電性繊維部材の間隔の最大値を０．２ｍｍ以下としたことで除電効果を保ちつつ、最小値を０．０５ｍｍとしたことで強度不足や転写材と導電性繊維部材の直接接触を防ぐことができる。
【００２０】
請求項５に記載の画像形成装置は、前記スペーサ部材の体積抵抗値は１０＾６Ω・ｃｍ以下であることを特徴とする。
【００２１】
上記構成の発明では、スペーサ部材の体積抵抗値を１０＾６Ω・ｃｍ以下としたことでスペーサ部材の帯電を防ぐことができる。
【００２２】
請求項６に記載の画像形成装置は、前記スペーサ部材は、前記導電性繊維部材を支持する支持部から離れた自由端部分に設けられたことを特徴とする。
【００２３】
上記構成の発明では、転写材に押圧される除電手段がスペーサ部材の剛性によって過度に押圧されるのを防ぐことができる。
【００２４】
請求項７に記載の画像形成装置は、前記スペーサ部材は前記導電性繊維部材の幅方向全体に渡って設けられたことを特徴とする。
【００２５】
上記構成の発明では、スペーサ部材が導電性繊維部材の幅方向全体に渡って設けられているので、転写材全体に除電効果を保ちつつ、導電性繊維部材と転写材の直接接触を防ぐことができる。
【００２６】
請求項８に記載の画像形成装置は、各々異なった複数色のトナー像を表面に形成する複数の潜像担持体と、転写材を搬送する無端ベルト形状の搬送部材と、前記複数の潜像担持体の表面に形成されたトナー像を前記転写材上に多重に転写する複数の転写手段と、前記転写手段よりも転写材搬送方向下流側に設けられ、前記転写材に蓄積された電荷を除去する除電手段とを備えた画像形成装置であって、前記除電手段は、前記転写手段の搬送方向下流側に前記搬送部材の内側に対向しこれと接触する方向に付勢された導電性繊維部材と、前記導電性繊維部材の前記搬送部材に対向する面に設けられ前記搬送部材に接触するスペーサ部材と、からなることを特徴とする。
【００２７】
上記構成の発明では、無端ベルト形状の搬送部材を備えカラー画像を形成する画像形成装置において、除電手段によって無端ベルト形状の搬送部材の裏側から過剰な電荷を除去し、かつ除電手段がスペーサ部材により搬送部材と直接接触しないので除電手段の劣化による除電過剰や搬送部材の裏面汚れを防ぐことができる。
【００２８】
請求項９に記載の画像形成装置は、前記スペーサ部材は前記転写材の搬送方向と直交する方向に凹凸の連続する鋸歯状の形状であることを特徴とする。
【００２９】
上記構成の発明では、スペーサ部材に鋸歯状の凹凸を設けたことで、搬送部材と導電性繊維部材の間に適度な間隔を保ちつつ、鋸歯状の凹部分において搬送部材と導電性繊維部材を接近させることができ、非接触でありながら除電効果を保つことができる。
【００３０】
請求項１０に記載の画像形成装置は、前記スペーサ部材の厚さは０．０５ｍｍ〜０．２ｍｍであることを特徴とする。
【００３１】
上記構成の発明では、スペーサ部材の厚みすなわち搬送部材と導電性繊維部材の間隔の最大値を０．２ｍｍ以下としたことで除電効果を保ちつつ、最小値を０．０５ｍｍとしたことで強度不足や搬送部材と導電性繊維部材の直接接触を防ぐことができる。
【００３２】
請求項１１に記載の画像形成装置は、前記スペーサ部材の体積抵抗値は１０＾６Ω・ｃｍ以下であることを特徴とする。
【００３３】
上記構成の発明では、スペーサ部材の体積抵抗値を１０＾６Ω・ｃｍ以下としたことでスペーサ部材の帯電を防ぐことができる。
【００３４】
請求項１２に記載の画像形成装置は、前記スペーサ部材の凹凸が搬送方向において一致していないことを特徴とする。
【００３５】
上記構成の発明では、搬送方向に複数設けられた導電性繊維部材と搬送部材の間隔が搬送方向において一定とならないので、用紙幅方向に除電不足または除電過剰の箇所が発生する事態を防ぐことができる。
【発明の効果】
【００３６】
本発明は上記構成としたので、搬送性と画質に優れ且つ用紙裏面汚れの発生しにくい画像形成装置とすることができた。
【発明を実施するための最良の形態】
【００３７】
図１には、本発明の第１実施形態に係る画像形成装置の構造が示されている。
【００３８】
図１はこの発明の実施形態１に係る画像形成装置を示す概略構成図である。
【００３９】
画像形成装置は大きく分けて、画像形成部と、中間転写装置、 最終転写体４０により構成される。画像形成部は、イエロー（Ｙ）用、マゼンタ（Ｍ）用、ブラック（Ｋ）用、及びシアン（Ｃ）用の４つの感光体ドラム１６Ｙ、１６Ｍ、１６Ｋ、１６Ｃと、図示しない露光装置および現像装置とにより構成される。
【００４０】
中間転写装置は、感光体ドラム１６Ｙ、１６Ｍに接触する第１中間転写ドラム（ＩＤＴ１）１４ａと、感光体ドラム１６Ｋ、１６Ｃに接触する第１中間転写ドラム（ＩＤＴ１）１４ｂと、これら二つの第１中間転写ドラム１６ａ、１６ｂに接触する第２中間転写ドラム（ＩＤＴ２）１８とを備えている。
【００４１】
さらに、第２中間転写ドラム１８と対向する位置に最終転写体（ＢＴＲ）２０が設けられ、第２中間転写ドラム１８との間に用紙Ｐをニップして搬送し、第２中間転写ドラム１８上のトナー画像２４を用紙Ｐに転写させる。
【００４２】
画像形成が開始されると、感光体ドラム１６Ｙ〜１６Ｃ上にはそれぞれイエロー、マゼンタ、ブラック、シアンのトナー画像が形成される。
【００４３】
すなわち、各感光体ドラム１６の表面が一様にマイナス帯電され、露光装置から出力画像に対応したレーザービームが帯電後の感光体ドラム１６の表面に照射される。
【００４４】
露光された部分は除電されるため、露光された部分と露光されなかった部分、すなわち画線部と非画線部とに発生する電位差により、感光体ドラム１６の表面には静電潜像が形成される。
【００４５】
この静電潜像に対して、現像装置が選択的にマイナス帯電したトナーを付与し、感光体ドラム１６の表面に、出力画像に対応したトナー画像が形成される。すなわち露光された部分は除電されているためマイナスに帯電したトナー２４が付着して画線部となり、露光されていない部分はマイナスに帯電しているのでトナー２４は付着せず非画線部となる。
【００４６】
次いで、まずマゼンタ用の感光体ドラム１６Ｍから、第１中間転写ドラム１４ａへとマゼンタのトナー画像が一次転写される。次いで、イエロー用の感光体ドラム１６Ｙから、第１中間転写ドラム１４ａへとイエローのトナー画像が 一次転写され、マゼンタのトナー画像に重ね合わされる。
【００４７】
一方、同様にシアン用の感光体ドラム１６Ｃから、第１中間転写ドラム１４ｂへとシアンのトナー画像が一次転写される。次いで、ブラック用の感光体ドラム１６Ｋから、第１中間転写ドラム１４ｂへとブラックのトナー画像が一次転写される。
【００４８】
一次転写されたマゼンタとイエローのトナー画像２４は、第２中間転写ドラム１８へと二次転写される。一方、一次転写されたブラックとシアンのトナー画像２４も、第２中間転写ドラム１８へ二次転写され、ここで先に二次転写されているマゼンタ、イエローのトナー画像２４と、ブラック、シアンのトナー画像２４とが重ね合わされ、フルカラーのトナー画像２４及びブラックのトナー画像２４が第２中間転写ドラム１８上に形成される。
【００４９】
二次転写されたフルカラートナー画像及びブラックトナー画像は、第２中間転写ドラム１８と最終転写体２０との間のニップ部分に達する。このタイミングに同期して、記録媒体としての用紙Ｐが当該ニップ部分に搬送され、用紙Ｐ上にそのフルカラートナー画像２４及びブラックトナー画像２４が三次転写（最終転写）される。
【００５０】
その後、この用紙Ｐは定着装置から与えられる熱と圧力 との作用により、フルカラートナー画像２４及びブラックトナー画像２４が用紙Ｐに定着し、永久像となる。
【００５１】
このとき、感光体ドラム１６→ 第１中間転写ドラム１４ → 第２中間転写ドラム１８ → 最終転写体２０の順にマイナスからプラスへと電位勾配を持たせるように各部材の電位勾配を制御することで、マイナスに帯電したトナーによる画像を感光体ドラム１６から最終転写体２０へ向けて転写することができる。
【００５２】
また用紙Ｐは最終転写体２０で第２中間転写ドラム１８にニップされ、トナー像２４を転写された後、剥離爪２２で最終転写体２０から剥離され、搬出される。
【００５３】
さらに、剥離された用紙Ｐの裏側（非画像形成面）に接触し、用紙Ｐの過剰な帯電を除去するための除電手段１０が設けられている。この除電手段１０が裏側から接触することによって用紙Ｐは過剰な帯電を取り除かれ、用紙ＪＡＭなどの搬送故障の発生を防いでいる。
【００５４】
図２には、本発明の第１実施形態に係る画像形成装置の用紙剥離部分が示されている。
【００５５】
図２に示すように、用紙Ｐは最終転写体２０によって二次中間転写ドラム１８との間にニップされ、第２中間転写ドラム１８上のトナー画像２４が転写される。
【００５６】
このとき、前述のようにマイナスに帯電したトナー２４を吸着するため用紙Ｐもプラスに帯電しており、最終転写体２０に巻き付く方向に力が働くこともあるのでＪＡＭ防止のために剥離爪２２が設けられ、最終転写体２０への用紙Ｐの巻き付きを防止している。
【００５７】
しかし用紙Ｐはさらに搬送されても尚、図示しない定着装置などでＪＡＭを起こす可能性があるため除電手段１０を設けて適度に除電する必要がある。
【００５８】
但し、除電が過度に強すぎるとトナー像２４を用紙Ｐに吸着している静電力が不足し、トナーが剥離して画像流れなどの画像故障が発生する。そのため、除電手段１０の除電能力は適度な強さが要求される。
【００５９】
除電手段１０は導電性繊維１２，スペーサ１１，保持部材１３からなり、図２のように導電性繊維１２が用紙Ｐの搬送路面に対して一定の圧力を持って押圧されるように付勢されている。
【００６０】
導電性繊維１２の、用紙Ｐと接触する側には導電性繊維１２が用紙Ｐに直接接触しないようにスペーサ１１が設けられ、静電気による導電性繊維１２の毛羽立ちを防いでいる。
【００６１】
また、スペーサ１１を設けたことにより導電性繊維１２と用紙Ｐの間隔が適度に保たれ、前述のように除電が過度に強すぎて画像流れが発生する等の故障を防ぐこともできる。
【００６２】
図３には、本発明の第１実施形態に係る画像形成装置の除電手段が示されている。
【００６３】
図３に示すように、除電手段１０は導電性繊維１２，スペーサ１１，保持部材１３からなり、スペーサ１１は鋸歯状の凹凸形状をしている。
【００６４】
すなわち、凸部１１ｂは導電性繊維１２の先端まで延び、用紙Ｐと導電性繊維１２の接触を防ぐ一方で、凹部１１ａの存在により導電性繊維１２と用紙Ｐの間隔を狭めることができ、結果として除電効果を高めることができる。
【００６５】
またスペーサ１１は、導電性繊維１２が保持部材１３に固定されている箇所１２ａでは導電性繊維１２に接着されていないので、スペーサ１１の剛性が導電性繊維１２の自由な動きを妨げることはない。
【００６６】
図４には、本発明の第１実施形態に係る画像形成装置の除電手段に用いられるスペーサが示されている。
【００６７】
図４（ａ）はスペーサ１１の全体図、図４（ｂ）は端部の拡大図、図４（ｃ）は断面図である。括弧内の数値は寸法（ｍｍ）を示す。但しこれは一例であって、実際の形状および寸法がこれに限定されるものではない。
【００６８】
図５には、本発明の第２実施形態に係る画像形成装置の構造が示されている。
【００６９】
図５はこの発明の実施形態２に係る画像形成装置を示す概略構成図である。
【００７０】
駆動ローラ３２によって駆動される無端ベルト状の搬送ベルト３０は用紙Ｐを吸着するなどの方法で保持し、感光体ドラム１６Ｙ〜１６Ｋから用紙Ｐ上にトナー画像２４を転写したのち図示しない定着装置へ搬送し、カラー画像として固定する。
【００７１】
このとき、用紙Ｐではなく搬送ベルト３０の裏側、感光体ドラム１６Ｙ〜１６Ｋの下流近傍に各色毎の除電手段１０Ｙ〜１０Ｋが設けられている。除電手段１０Ｙ〜１０Ｋは、感光体ドラム１６Ｙ〜１６Ｋからトナー２４の転写後に用紙Ｐと搬送ベルト３０が強く帯電し過ぎて搬送性の劣化を起こさないように、あるいは搬送ベルト３０の裏側に機内を浮遊するトナーが付着して汚れる事態を防ぐために適度に搬送ベルト３０を除電する。
【００７２】
図６には、本発明の第３実施形態に係る画像形成装置の構造が示されている。
【００７３】
図６はこの発明の実施形態３に係る画像形成装置を示す概略構成図である。
【００７４】
駆動ローラ３２によって駆動される無端ベルト状の転写ベルト３１が感光体ドラム１６Ｙ〜１６Ｋからトナー画像２４を転写され、さらに用紙Ｐへ転写することで用紙Ｐ上にトナー画像２４を形成する。
【００７５】
このとき、転写ベルト３１の裏側、感光体ドラム１６Ｙ〜１６Ｋの下流近傍に各色毎の除電手段１０Ｙ〜１０Ｋが設けられている。除電手段１０Ｙ〜１０Ｋは、感光体ドラム１６Ｙ〜１６Ｋからトナー２４の転写後に転写ベルト３１が強く帯電し過ぎて用紙Ｐの搬送性の劣化を起こさないように、あるいは転写ベルト３１の裏側に機内を浮遊するトナーが付着して汚れる事態を防ぐために適度に転写ベルト３１を除電する。
【００７６】
図７には、本発明の第２、第３実施形態に係るスペーサの配置が示されている。
【００７７】
図７に示すように、例えば１０Ｙの凸部１１ｂと１０Ｍの凸部１１ｂ’は用紙搬送方向と直交する方向すなわち用紙幅方向で見ると異なる位置にある。
【００７８】
これは、凸部１１ｂの存在する箇所がもっとも除電効果の薄い箇所であるため、用紙搬送方向に凸部１１ｂが同一位置で重なると、用紙幅方向に除電効果のムラが周期的に発生し、搬送方向に流れるスジ等が発生する恐れがあるためである。
【００７９】
凸部１１ｂの位置を除電手段ごとに変えることによって、このような除電効果のムラを防ぐことができる。
【００８０】
以上述べたように本発明では、スペーサ１１を設けることで除電手段１０の導電性繊維１２と用紙Ｐ、搬送ベルト３０または転写ベルト３１が直接接触することを防げるので、導電性繊維の毛羽立ちを防ぎながら十分な除電効果を得ることができる。
【図面の簡単な説明】
【００８１】
【図１】本発明の第１形態に係る画像形成装置の構造を示す断面図である。
【図２】本発明の第１形態に係る画像形成装置の構造を示す断面図である。
【図３】本発明の第１形態に係る除電手段を示す斜視図である。
【図４】本発明の第１形態に係る除電手段のスペーサを示す平面図である。
【図５】本発明の第２形態に係る画像形成装置の構造を示す断面図である。
【図６】本発明の第３形態に係る画像形成装置の構造を示す断面図である。
【図７】本発明の第２形態に係る除電手段のスペーサを示す斜視図である。
【図８】従来の除電手段を示す斜視図である。
【符号の説明】
【００８２】
１０    除電手段
１１    スペーサ
１２    導電性繊維
１８    第２中間転写ドラム
３０    搬送ベルト
３１    転写ベルト
【図１】
2005250033.tif 000003
【図２】
2005250033.tif 000004
【図３】
2005250033.tif 000005
【図４】
2005250033.tif 000006
【図５】
2005250033.tif 000007
【図６】
2005250033.tif 000008
【図７】
2005250033.tif 000009
【図８】
2005250033.tif 000010